(57)【要約】【課題】シリーズものなど関連のある番組を記録媒体から漏れなく検索して本来の順序で再生できるようにする。【解決手段】番組を記録媒体１３に記録する記録手段１１、記録媒体１３から番組を読み出して再生する再生手段１２に加え、前記番組が記録された時間帯、日付、曜日、タイトル等から構成される番組情報と関連付けて、前記記録媒体に記録し、前記番組情報に基づいて再生対象候補とるコンテンツを検索する番組管理手段１４を備えた構成とする。使用者がシリーズ番組の検索を指示すると、記録された時間帯等に基づいてシリーズ番組が検索され、使用者は抜けなくシリーズ番組を視聴することができる。【選択図】図１
2006318523.tif 000002
【特許請求の範囲】
【請求項１】
映像、音声、データのうち少なくとも一つを含むコンテンツを記録媒体に記録する記録手段と、
前記記録媒体からコンテンツを読み出して再生する再生手段と、
前記コンテンツが記録された時間帯、日付、曜日のうち少なくとも一つから構成される番組情報と関連付けて、前記記録媒体に記録し、
前記番組情報に基づいて再生対象候補となるコンテンツを検索する番組管理手段とを具備したことを特徴とする記録再生装置。
【請求項２】
前記番組情報としてコンテンツのタイトルを含むことを特徴とする請求項１記載の記録再生装置。
【請求項３】
前記番組情報として視聴履歴を含むことを特徴とする請求項１記載の記録再生装置。
【請求項４】
前記番組管理手段は、指定されたコンテンツに対し、前記コンテンツと番組情報の項目の全てもしくは一部が一致条件に適合するコンテンツを再生対象候補として検索することを特徴とする請求項１記載の記録再生装置。
【請求項５】
前記時間帯の全部又は一部が重複することを前記一致条件としたことを
特徴とする請求項４記載の記録再生装置。
【請求項６】
映像、音声、データのうち少なくとも一つを含むコンテンツを記録媒体に記録する記録ステップと、
前記記録媒体からコンテンツを読み出して再生する再生ステップと、
前記コンテンツを記録された時間帯、日付、曜日のうち少なくとも一つから構成される番組情報と関連付けて、前記記録媒体に記録する番組情報記録ステップと、
前記番組情報に基づいて再生対象候補となるコンテンツを検索するコンテンツ検索ステップとを含むことを特徴とする記録再生装置におけるコンテンツ検索方法。
【発明の詳細な説明】
【技術分野】
【０００１】
本発明は、ハードディスクレコーダをはじめとした記録媒体を搭載した記録装置において、記録された番組を視聴する際の再生方法に関するものである。
【背景技術】
【０００２】
これまで、記録媒体は、ＶＨＳなどのテープメディアが主流であったが、近年ではハードディスクや光ディスクといったディスクメディアが急速に普及してきている。ディスクメディアは、テープメディアのように頭出し等の操作が不要であり、その検索性の高さから使い勝手もよく、更にメディアの大容量化が進んでおり、手軽に多くの番組を蓄積しておくことができる。番組視聴時には、記録されている番組のリストを画面に一覧表示し、その中から好きな番組を選択して、視聴する。
【０００３】
近年のメディア（記録媒体）の大容量化に伴い、記録される番組数も増加していく傾向にあり、見たい番組を探す場合にも、番組リストの中から使用者が探す必要がある。シリーズもの特に連続ドラマなどを数話分記録していた場合、古いものから順番に視聴しなければ、ストーリーもわからなくなり、番組自体の面白味も半減してしまう。
【０００４】
かかる要望に対応するため、たとえば、特許文献１には、番組のタイトル情報に基づき同じタイトルリストをまとめたタイトルリストが生成され、同じタイトル名を有する番組が連続的に再生される構成とした記録再生装置が開示されている。
【特許文献１】特開２００４−１３３９８４号公報
【発明の開示】
【発明が解決しようとする課題】
【０００５】
しかしながら、シリーズものに同一タイトルが付されるとは限らず、同じコンセプトのシリーズものであっても異なるタイトルが付される場合がある。
【０００６】
本発明は上記従来の問題点を解決するもので、番組リストの中から選択された番組に対して、記録された時間帯、日付、曜日を利用して、その番組と同じ番組情報を持つものを全番組の中から抽出し、リストとして表示される番組を関連のありそうな番組だけに絞ることで、使用者の利便性を向上させると同時に、古い番組の存在を見落とさず、使用者に認知させることを目的とする。
【課題を解決するための手段】
【０００７】
この目的を達成するために本発明の記録再生装置は、映像、音声、データのうち少なくとも一つを含むコンテンツを記録媒体に記録する記録手段と、前記記録媒体からコンテンツを読み出して再生する再生手段と、前記コンテンツが記録された時間帯、日付、曜日のうち少なくとも一つから構成される番組情報と関連付けて、前記記録媒体に記録し、前記番組情報に基づいて再生対象候補となるコンテンツを検索する番組管理手段とを具備したことを特徴としている。
【０００８】
この構成によって、本発明の記録再生装置は、番組リストの中から選択された番組に対して、日付または時間帯を利用して、その番組と同じ番組情報を持つものを全番組の中から抽出し、リストとして表示される番組を関連のありそうな番組だけに絞ることで、使用者の利便性を向上させると同時に、古い番組の存在を見落とさず、使用者に認知させることができる。
【０００９】
また、本発明の記録再生装置は、さらに番組情報としてコンテンツのタイトルを含むことを特徴としている。
【００１０】
この構成によって、さらにタイトルを利用して、リストとして表示される番組を関連のありそうな番組だけに絞ることができる。
【００１１】
また、本発明の記録再生装置は、さらに番組情報として、視聴履歴を含むことを特徴としている。
【００１２】
この構成によって、さらに視聴履歴を利用して、リストとして表示される情報を未だ視聴していない番組だけに絞ることができる。
【００１３】
さらに、本発明の記録再生装置は、指定されたコンテンツに対し、前記コンテンツと番組情報の項目の全てもしくは一部が一致条件に適合するコンテンツを再生対象候補として検索する番組管理手段を具備することを特徴としている。
【００１４】
この構成によって、複数の条件を指定し、また一部のみ一致する番組を再生対象として検索することにより漏れのない検索を実行することができる。
【発明の効果】
【００１５】
本発明の記録再生装置および記録再生装置におけるコンテンツ検索方法によれば、番組リストの中から選択された番組に対して、タイトルや記録日時など、その番組と同じ番組情報を持つものを全番組の中から抽出し、リストとして表示される番組を関連のありそうな番組だけに絞ることで、使用者の利便性を向上させると同時に、古い番組の存在を見落とさず、使用者に認知させることができるという効果を得ることができる。
【発明を実施するための最良の形態】
【００１６】
（実施の形態１）
以下、本発明の実施の形態について、図面を参照しながら説明する。
【００１７】
図１は、本発明の記録再生装置および記録再生装置におけるコンテンツ検索方法の構成を示すブロック図である。以下、図１を用いて上記記録再生装置および記録再生装置におけるコンテンツ検索方法の構成を説明する。
【００１８】
記録再生装置１００は、図１に示すように、記録手段１１、再生手段１２、記録媒体１３、番組管理手段１４、通知手段１５、ＴＶモニタ２００を具備している。
【００１９】
さらに、記録再生装置１００は、再生手段１２と通知手段１５を介して、ＴＶモニタ２００に接続されている。記録手段１１は、放送番組の映像／音声信号を受けて、それをハードディスクなどの記録媒体１３に記録するとともに、番組のタイトル、記録日時などの番組情報を抽出して番組管理手段１４に送出する。
【００２０】
再生手段１２は、使用者の再生指示を受付けて、記録媒体１３から特定の放送番組を読み出しＴＶモニタ２００に表示する。番組管理手段１４は、記録手段１１より、番組タイトル、記録日時等の番組情報を受信して、番組情報テーブルとして、記録媒体１３に記録する。
【００２１】
また、使用者は、ＴＶモニタ２００に表示されるメニュー画面を見て、附属のデバイス（図示せず）でメニュー項目を選択することにより、記録再生装置１００の動作を指定できるようになっている。
【００２２】
図２は、本発明の記録再生装置の再生時の動作を示すフローチャートであり、ステップＳ２０１からステップＳ２０６までで構成されている。
【００２３】
図３は、本発明の記録再生装置および記録再生装置におけるコンテンツ検索方法の番組抽出時の動作を示すフローチャートであり、ステップＳ３０１からステップＳ３０８までで構成されている。
【００２４】
図４は、番組リストの表示例を示す図である。
【００２５】
図４において、４０１は番組番号であり、４０２は番組のタイトル、４０３は記録日、４０４は記録された開始および終了時間であり、４０５は、その番組が視聴済みか否かの表示である。Ｓ４０６およびＳ４０７は、番組数が多く１画面に収まらず、リストが複数画面に渡る場合の改ページボタンである。ここでは、記録した日時の古い順に、記録媒体１３に格納されている全ての番組が表示される。
【００２６】
図５は、条件選択画面の表示例を示す図である。図５に示す画面は、図４に示す番組リストから使用者の操作により番組が選ばれた場合に表示される。図５において、５０１が条件選択画面であり、５０２は検索条件にタイトルを選択したい場合の「タイトル」ボタン、５０３は検索条件に時刻を選択したい場合の「時刻」ボタン、５０４は、検索せずにそのまま視聴開始するための「しない」ボタンである。
【００２７】
図６は、タイトルで検索した場合の番組リストの表示例を示す図である。
【００２８】
図６において、６０１は番組番号、６０２は番組のタイトル、６０３は記録日、６０４は記録された開始および終了時間であり、Ｓ６０５は、その番組が視聴済みか否かの表示である。図６に示す画面は、図４の番組リストにおいて、番組番号が「４」の番組を選択し、続いて、図５に示す画面における条件選択で「タイトル」を選んで検索した場合に表示されるものである。番組番号４の番組のタイトルは「北極物語」であり、この文字列を含んだ「北極物語（終）」「北極物語ＳＰ」「北極物語２」などの番組が、関連性の高い番組として抽出されている。
【００２９】
図７は、時間帯（番組の開始時刻及び終了時刻で構成される時間帯）で検索した場合の番組リストの表示例を示す図である。
【００３０】
図７において、７０１は番組番号、７０２は番組のタイトル、７０３は記録日、７０４は記録された開始および終了時間であり、７０５は、その番組が視聴済みか否かの表示である。これは、図４の番組リストにおいて、番組番号が「４」の番組を選択し、図５の条件選択で「時刻」を選んで検索した場合に表示されたものとする。番組番号４の番組の記録された時刻は、２１時から２２時までであり、その時刻と完全に一致、もしくは含んだ時刻の番組が、関連性の高い番組として抽出されている。
【００３１】
図８は、番組情報テーブルのデータ構造を示す説明図である。
【００３２】
図８に示すように、番組情報テーブルは、記録された１本の番組毎に１レコード生成され、当該レコードは、対応する番組が消去されない限り保持される。そして、１本の番組毎に番組番号８０１、番組タイトル８０２、チャンネル８０３、録画日８０４、録画開始時刻８０５、録画終了時刻８０６、録画時間８０７に加え、視聴履歴８０８（未視聴、視聴済）が記録された図である。
【００３３】
以上のように構成された記録再生装置について、以下にその動作を説明する。
【００３４】
まず、主として図２を参照しながら、再生時の動作について説明する。
【００３５】
記録再生装置１００は、使用者の再生指示を受けて、搭載されたハードディスクなどの記録媒体１３に記録された全番組のリストを、ＴＶモニタ２００に表示する。まず、使用者はこのリストの中から、一つの番組を選択する（ステップＳ２０１）。この時、関連のありそうな番組を抽出する操作を行うか否かの条件選択画面が通知部１５によって、ＴＶモニタ２００に表示される（ステップＳ２０２）。選択画面の中には、「タイトル」「時刻」「しない」の３つの項目が表示される。「タイトル」は、同一のタイトルを持つ番組は、連続性もしくは関連性のある番組と考えられることから、番組のタイトルをキーに検索を行う。「時刻」は、同一時刻に記録された番組は、毎週もしくは毎日放送されている番組であると考えられることから、録画された時刻をキーに検索を行う。なお、「しない」が選択された場合には（ステップＳ２０３）、選択された番組を再生するのみである。「タイトル」または「時刻」が行われた場合、番組管理部１４により、タイトルや記録日時などの番組情報を元に、各条件が一致する関連しそうな番組が抽出され、抽出された番組だけのリストが、ＴＶモニタ２００に表示される（ステップＳ２０４）。使用者はこの中から視聴を希望する番組を選択、再生開始することで、視聴することができる（ステップＳ２０５）。なお、各番組が持つ番組情報の中には、「視聴履歴」の項目があり、これは、番組記録時には、「未視聴」として設定されており、使用者が視聴することで、番組管理手段１４により「視聴済み」と設定される（ステップＳ２０６）。「視聴済み」とする条件については、実際に視聴した時間を元に判断する必要があるが、最初の数分、番組総時間の半分など、使用者が任意に決めて設定できる構成でも、あらかじめいわゆるデフォルト値が設定されており、使用者が所望により変更できる構成としてもよい。
【００３６】
抽出された番組リストには、この視聴履歴も合わせて表示しておくことで、使用者に視聴すべきか否かを判断させる情報として提供することができる。また、番組を抽出する際に、視聴履歴が「視聴済み」のものをあらかじめ対象から省くことで、対象となる番組をより絞り込むことができ、使用者が探しやすくするという方法もある。
【００３７】
次に、主として図３を参照しながら番組抽出時の動作を説明する。前述図２のステップＳ２０４の詳細な動作に当たる。使用者により番組リストの中から選択された番組について、その番組情報を取得する（ステップＳ３０１）。次に、全番組リストから古い順に１番組ずつ、番組情報を取得する（ステップＳ３０２）。ここで条件選択画面にて「タイトル」が選択されていた場合（ステップＳ３０３）、ステップＳ３０１で取得した番組のタイトルが、ステップＳ３０２で取得した番組のタイトルと一致するか判定し（ステップＳ３０４）、一致したものはシリーズ番組リストに追加する（ステップＳ３０５）。この時、完全に一致するものは元より、一部が一致する場合もリストに追加する。例えば、「北極物語」と「北極物語スペシャル」というような場合、それぞれの番組は関連した番組である可能性が高いと思われるためである。また、条件選択画面で、「時刻」が選択されていた場合も同様に一致（重複）するか判定を行い（ステップＳ３０６）、一致したものはシリーズ番組リストに追加する（ステップＳ３０７）。時刻についても、開始時刻／終了時刻がそれぞれ完全一致するものは元より、時間帯が重複する場合も対象としてリストに追加する。これは、連続ドラマなどでは、初回や最終回など時間を延長して放送されるケースが多く、これらを取りこぼさないようにするためである。一致判定は、全番組を比較するまで繰り返される（ステップＳ３０８）。
【００３８】
なお、時間帯に代えて、曜日（指定の番組と同じ曜日に記録された番組を検索）、日付（指定の番組と同じ日、たとえば各月の１５日）を検索キーとして記録された番組を検索する構成としてもよい。また、時間帯と曜日を検索キーとして併用（たとえば、毎週水曜日の２０：００−２１：００の時間帯）する構成としてもよい。
【００３９】
また、時間帯と番組のジャンルまたはキーワードを検索キーとして用いる構成としてもよい。以上のように、本発明によれば、記録された時間帯、タイトル等の番組情報を用いて記録された番組から、シリーズもの等関連のある番組を検索して古いものから順次再生することができるので、記録されていた連続ものの途中の番組を見落とすことなく再生することができる。
【産業上の利用可能性】
【００４０】
本発明は、ハードディスクレコーダ等の記録再生装置に利用することができる。
【図面の簡単な説明】
【００４１】
【図１】本発明の実施の形態における記録再生装置および番組視聴方法の構成を示すブロック図
【図２】本発明の実施の形態における記録再生装置および番組視聴方法の再生時の動作を示すフローチャート
【図３】本発明の実施の形態における記録再生装置および番組視聴方法の番組抽出時の動作を示すフローチャート
【図４】本発明の実施の形態における全番組の番組リストの表示例を示す図
【図５】本発明の実施の形態における番組検索の条件選択画面の表示例を示す図
【図６】本発明の実施の形態における「タイトル」で検索された番組リストの表示例を示す図
【図７】本発明の実施の形態における「時刻」で検索された番組リストの表示例を示す図
【図８】番組情報テーブルのデータ構造を示す説明図
【符号の説明】
【００４２】
１１    記録手段
１２    再生手段
１３    記録媒体
１４    番組管理手段
１５    通知手段
１００    記録再生装置
２００    ＴＶモニタ
【図１】
2006318523.tif 000003
【図２】
2006318523.tif 000004
【図３】
2006318523.tif 000005
【図４】
2006318523.tif 000006
【図５】
2006318523.tif 000007
【図６】
2006318523.tif 000008
【図７】
2006318523.tif 000009
【図８】
2006318523.tif 000010